(57)【要約】【課題】ハードを変更することなく、画面表示色を最適な色に自動的に設定できる表示装置を提供する。【解決手段】表示装置１０は、本体部２と、本体部２に設けられた表示部３と、本体部２に取り外し可能なキャビネット４とを備えており、キャビネット４または当該表示装置を操作するリモコンの色を表す色情報を記憶する不揮発性メモリ４１と、不揮発性メモリ４１から、色情報を取得する色取得部４２と、色取得部４２が取得した色に応じて、表示部３に表示する色を制御する表示制御部２１とを備えている。【選択図】図１
2011139390.tif 000002
【特許請求の範囲】
【請求項１】
本体部と、上記本体部に設けられた表示部と、上記本体部に取り外し可能なキャビネットとを備えている表示装置であって、
上記キャビネットまたは当該表示装置を操作するリモコンの色を表す色情報を記憶する色情報記憶手段と、
上記色情報記憶手段から、上記色情報を取得する色取得手段と、
上記色取得手段が取得した色に応じて、上記表示部に表示する色を制御する表示制御手段とを備えていることを特徴とする表示装置。
【請求項２】
上記表示制御手段は、上記色取得手段が取得した色と同一色を上記表示部に表示することを特徴とする請求項１に記載の表示装置。
【請求項３】
上記色情報記憶手段は、外部から入力される上記色情報を追加で記憶することを特徴とする請求項１または２に記載の表示装置。
【請求項４】
上記表示制御手段は、上記表示装置に接続された外部機器の表示部に表示する色を制御することを特徴とする請求項１から３のいずれか１項に記載の表示装置。
【請求項５】
光を検知することによって色を判定する色判定手段であって、上記キャビネットと同一色である、当該色判定手段を覆うカバーの色を判定する色判定手段をさらに備えており、
上記表示制御手段は、上記色判定手段が判定した色に応じて、上記表示部に表示する色を制御することを特徴とする請求項１から４のいずれか１項に記載の表示装置。
【請求項６】
本体部と、上記本体部に設けられた表示部と、上記本体部に取り外し可能なキャビネットとを備えている表示装置の表示方法であって、
上記キャビネットまたは当該表示装置を操作するリモコンの色を表す色情報を記憶する色情報記憶工程と、
上記色情報記憶工程において記憶した上記色情報を取得する色取得工程と、
上記色取得工程において取得した色に応じて、上記表示部に表示する色を制御する表示制御工程とを含んでいることを特徴とする表示方法。
【請求項７】
請求項１から５のいずれか１項に記載の表示装置を備えたテレビ受像機。
【請求項８】
請求項１から５のいずれか１項に記載の表示装置と、当該表示装置と通信する外部機器とを備えた表示システム。
【請求項９】
請求項１から５のいずれか１項に記載の表示装置の各部としてコンピュータを機能させるためのプログラム。
【請求項１０】
請求項９に記載のプログラムを記録したコンピュータ読み取り可能な記憶媒体。 
【発明の詳細な説明】
【技術分野】
【０００１】
本発明は、表示装置、表示方法、該表示装置を備えたテレビ受像機、該表示装置を備えた表示システム、プログラムおよびプログラムが記録されたコンピュータ読み取り可能な記憶媒体に関する。
【背景技術】
【０００２】
近年、テレビ受像機（以下、単にテレビという場合もある。）において、キャビネットの色または画面に表示する背景色などを最適な色に設定する技術が提案されている。例えば、テレビ受像機のキャビネットにおいて、外面の一部または全体に取り剥がし可能なシール状のシートを単層または複数層装着しておき、ユーザまたは販売店において外観を簡単に変えられるようにする技術がある。
【０００３】
特許文献１には、キャビネットの色を検出し、検出した色を、表示部の画面に表示されるメニューの色に合わせる電子機器が開示されている。
【０００４】
また、非特許文献１には、画面の周りに取り付けた照明が映像に応じて変化することによって、部屋全体を明るく照らす新型液晶テレビが開示されている。
【先行技術文献】
【特許文献】
【０００５】
【特許文献１】特開２００７−４７５９４号公報（公開日：２００７年２月２２日）
【非特許文献１】“日経ネット”〔ｏｎｌｉｎｅ〕〔平成２１年１２月１５日検索〕インターネット<URL:http://it.nikkei.co.jp/digital/news/tv_dvd.aspx?n=AS2M01008+01092007>
【発明の概要】
【発明が解決しようとする課題】
【０００６】
しかしながら、上述した従来技術には次のような問題がある。
【０００７】
特許文献１の技術は、キャビネットの色を検出し、検出した色を、表示部の画面に表示されるメニューの色に合わせる。しかしながら、ユーザは、手動で外枠を変更する必要がある。したがって、手間がかかる。
【０００８】
また、非特許文献１の技術は、部屋全体を明るく照らすために、画面の周りに取り付けた照明が映像に応じて変化する。しかしながら、キャビネットの色または画面に表示する背景色などを最適な色に設定する技術は開示されていない。
【０００９】
本発明は、上記の問題に鑑みてなされたものであり、その目的は、ハードを変更することなく、画面表示色を最適な色に自動的に設定できる表示装置、表示方法、該表示装置を備えたテレビ受像機、該表示装置を備えた表示システム、プログラムおよびプログラムが記録されたコンピュータ読み取り可能な記憶媒体を提供することにある。
【課題を解決するための手段】
【００１０】
上記課題を解決するために、本発明に係る表示装置は、本体部と、上記本体部に設けられた表示部と、上記本体部に取り外し可能なキャビネットとを備えている表示装置であって、上記キャビネットまたは当該表示装置を操作するリモコンの色を表す色情報を記憶する色情報記憶手段と、上記色情報記憶手段から、上記色情報を取得する色取得手段と、上記色取得手段が取得した色に応じて、上記表示部に表示する色を制御する表示制御手段とを備えていることを特徴としている。
【００１１】
上記の構成によれば、本発明の表示装置の色情報記憶手段は、キャビネットまたは当該表示装置を操作するリモコンの色を表す情報を記憶する。色取得手段は、色情報記憶手段から、当該キャビネットまたはリモコンの色を表す情報を取得する。そして、表示制御手段は、色取得手段が取得した色に応じて、表示部に表示する色を制御する。
【００１２】
すなわち、表示制御手段は、キャビネットまたはリモコンの色に応じた色を表示部に表示する。このため、ユーザは、特に手間をかけることなく、適した色において画面を視聴できる。また、表示制御手段は、色取得手段が取得した色を、初期の色設定画面において優先的に表示するようにしてもよい。この場合には、ユーザは、容易に表示に適した色を選択できる。なお、ここで言う表示に適した色とは、例えば補色関係にある色または類似色も含まれる。
【００１３】
以上のことから、表示装置は、ユーザがハードを変更することなく、画面表示色を最適な色に設定できるという効果を奏する。
【００１４】
上記課題を解決するために、本発明に係る表示方法は、本体部と、上記本体部に設けられた表示部と、上記本体部に取り外し可能なキャビネットとを備えている表示装置の表示方法であって、上記キャビネットまたは当該表示装置を操作するリモコンの色を表す色情報を記憶する色情報記憶工程と、上記色情報記憶工程において記憶した上記色情報を取得する色取得工程と、上記色取得工程において取得した色に応じて、上記表示部に表示する色を制御する表示制御工程とを含んでいることを特徴としている。
【００１５】
上記の構成によれば、本発明に係る表示装置と同様の作用効果を奏する。
【００１６】
本発明に係る表示装置における上記表示制御手段は、上記色取得手段が取得した色と同一色を上記表示部に表示することが好ましい。
【００１７】
上記の構成によれば、表示制御手段は、色取得手段が取得したキャビネットまたはリモコンの色と同一色を表示部に表示する。このため、ユーザは、手間をかけることなく、見栄えの良い表示画面を視聴できるという更なる効果を奏する。
【００１８】
本発明に係る表示装置における上記色情報記憶手段は、外部から入力される上記色情報を追加で記憶することが好ましい。
【００１９】
上記の構成によれば、色情報記憶手段は、外部から入力される上記色情報を追加で記憶する。このため、色情報記憶手段は、キャビネットまたはリモコンの色として、新しい色が追加されたとしても記憶できる。したがって、表示制御手段は、新しいキャビネットまたはリモコンの色に応じた色を、表示部に表示できるという更なる効果を奏する。
【００２０】
本発明に係る表示装置における上記表示制御手段は、上記表示装置に接続された外部機器の表示部に表示する色を制御することが好ましい。
【００２１】
上記の構成によれば、表示制御手段は、表示装置に接続された例えばＤＶＤプレーヤーといった外部機器の表示部に表示する色を制御する。例えば、表示装置の表示部と、外部機器の表示部とに表示する色とを同一色にできる。これにより、ユーザは、一目で表示装置と連動して動作している外部機器を認識できるという更なる効果を奏する。
【００２２】
本発明に係る表示装置は、光を検知することによって色を判定する色判定手段であって、上記キャビネットと同一色である、当該色判定手段を覆うカバーの色を判定する色判定手段をさらに備えており、上記表示制御手段は、上記色判定手段が判定した色に応じて、上記表示部に表示する色を制御することが好ましい。
【００２３】
上記の構成によれば、色判定手段は、上記キャビネットと同一色である、当該色判定手段を覆うカバーの色を判定する。そして、表示制御手段は、色判定手段が判定した色に応じて、表示部に表示する色を制御する。このため、表示装置は、不揮発性メモリを備える必要がない。また、他の手段によってキャビネットの色を判定するために、例えば色に応じてキャビネットの構成を変更する必要が無いという更なる効果を奏する。
【００２４】
また、上記表示装置を備えているテレビ受像機も本発明の範疇に含まれる。また、上記表示装置と、上記外部機器とを備えた表示システムも本発明の範疇に含まれる。
【００２５】
また、上記表示装置は、コンピュータによって実現してもよい。この場合、コンピュータを上記各手段として動作させることにより上記表示装置をコンピュータにおいて実現するプログラム、およびそのプログラムを記録したコンピュータ読み取り可能な記録媒体も、本発明の範疇に入る。
【発明の効果】
【００２６】
以上のように、本発明に係る表示装置は、本体部と、上記本体部に設けられた表示部と、上記本体部に取り外し可能なキャビネットとを備えている表示装置であって、上記キャビネットまたは当該表示装置を操作するリモコンの色を表す色情報を記憶する色情報記憶手段と、上記色情報記憶手段から、上記色情報を取得する色取得手段と、上記色取得手段が取得した色に応じて、上記表示部に表示する色を制御する表示制御手段とを備えている。したがって、画面表示色を最適な色に自動的に設定できる。
【００２７】
また、本発明に係る表示方法は、本体部と、上記本体部に設けられた表示部と、上記本体部に取り外し可能なキャビネットとを備えている表示装置の表示方法であって、上記キャビネットまたは当該表示装置を操作するリモコンの色を表す色情報を記憶する色情報記憶工程と、上記色情報記憶工程において記憶した上記色情報を取得する色取得工程と、上記色取得工程において取得した色に応じて、上記表示部に表示する色を制御する表示制御工程とを含んでいる。したがって、画面表示色を最適な色に自動的に設定できる。
【図面の簡単な説明】
【００２８】
【図１】本発明の一実施形態に係るテレビ受像機の構成を示す図である。
【図２】本発明の一実施形態に係るテレビ受像機の内部構成を示す図である。
【図３】本発明の一実施形態に係る電子番組表を示す図である。
【図４】本発明の一実施形態に係るディスプレイにおける表示を示す図である。
【図５】本発明の一実施形態に係るテレビ受像機の色制御を説明するシーケンス図である。
【図６】本発明の一実施形態に係るテレビ受像機を備えた表示システムを示す図である。
【図７】本発明の一実施形態に係るテレビ受像機を備えた表示システムを示す詳細図である。
【図８】本発明の一実施形態に係るプレーヤーを示す図である。
【発明を実施するための形態】
【００２９】
本発明に係る一実施形態について、図１〜図８を参照して以下に説明する。
【００３０】
（テレビ受像機１０の外観）
まず、テレビ受像機１０の外観について、図１を参照して説明する。図１に示すように、テレビ受像機１０は、本体部２と、本体部２に設けられた表示部３と、本体部２に取り外し可能なキャビネット４と、ＯＰＣ（光）センサー３８とを備えている。また、この図に示すように、テレビ受像機１０内部には、不揮発性メモリ４１と、色取得部４２と、表示制御部２１とが備えられている。
【００３１】
（テレビ受像機１０の内部構成）
次に、テレビ受像機１０の内部構成について、図２を参照して説明する。図２は、表示装置１０におけるブロック図を示している。この図に示すように、テレビ受像機１０、例えば、画面サイズ１６：９（１９２０×１０１０ドット）の液晶表示装置２２を有するテレビ受像機の全体を示している。このテレビ受像機１０は、バス８に接続されたＣＰＵ６、メモリ７を有しており、このテレビ受像機１０の動作は、ＣＰＵ６およびメモリ７に記憶された各種の制御プログラムにより制御される。すなわち、この図２に示されたテレビ受像機１０では、ＣＰＵ６を含むコンピュータ・システムによって制御されており、テレビ受像機１０をコンピュータ・システムによって動作させるためのプログラムはメモリ７に記憶されている。
【００３２】
なお、画面サイズがアスペクト比１６：９の液晶表示装置に限定されるものではないことは明らかである。
【００３３】
メモリ７は、通常、ＲＡＭによって構成されるが、一部にＲＯＭを含んでいても良い。また、書き換え可能なフラッシュメモリ等を含んでいても良い。メモリ７には、ＣＰＵを動作させるためのＯＳまたは各種の制御ソフト等が記憶され、放送波を介して受信したＥＰＧデータ等の番組情報に関するデータ、ＯＳＤ表示を行う際に必要となるＯＳＤ用画像データ等が記憶されている。また、メモリ７は、各種制御動作に必要なワークメモリとして働くワーク領域を有している。
【００３４】
テレビ受像機１０には、デジタルチューナー部１４の外に、アナログチューナー部１２が設けられており、アナログ放送も受信可能とされている。また、外部入力部３１には、ＨＤＤ、ＳＤカード等の固体メモリ、ＢＤ（ブルーレイディスク）、ＤＶＤ、ＣＤ等のディスク装置等、種々の外部機器３０が接続可能とされており、さらに、テレビ受像機１０の本体内にもＢＤ／ＤＶＤ／ＣＤの記録／再生部３２が内蔵されている。さらに、ＩＰ放送チューナー部２３が備えられており、ＩＰ放送の受信も可能とされている。
【００３５】
テレビ受像機１０は、この外、ＡＶスイッチ部１３、デジタル復調部１５、分離部（ＤＭＵＸ）１６、ビデオデコード／キャプチャ部１７、ビデオセレクタ部１８、映像処理部１９、加算回路２０、表示制御部２１、液晶表示装置２２、ＥＰＧ／ＯＳＤ／予約処理部２４、オーディオデコード部２５、オーディオセレクタ部２６、音声出力変換部２７、スピーカ２８、選局部３３、通信制御部３４、リモコン受光部３５、不揮発性メモリ４１、色取得部４２を有している。テレビ受像機１０には、さらに、周囲の明るさおよび明るさから色を取得するためのＯＰＣ（光）センサー３８が設けられている。
【００３６】
アナログチューナー部１２は、アナログ放送受信用のアンテナ１１を介して受信するアナログテレビ放送信号を選局するもので、選局部３３からの選局指示に応じて選局を行う。アナログチューナー部１２からの受信信号は、ＡＶスイッチ部１３において、音声信号と映像信号とに分離され、映像信号はビデオセレクタ部１８に入力され、音声信号はオーディオセレクタ部２６に入力される。
【００３７】
デジタルチューナー部１４は、デジタル放送受信用アンテナ４０を介して受信するデジタルテレビ放送信号を選局するもので、選局部３３からの選局指示に応じて受信するチャンネルの選局を行う。デジタルチューナー部１４からの受信信号は、デジタル復調部１５にて復調され、分離部（ＤＭＵＸ）１６に送られる。
【００３８】
ＩＰ放送チューナー部２３は、電話回線・ＬＡＮ等に接続された通信制御部３４を介して受信するＩＰ放送を選局するもので、選局部３３からの選局指示に応じて受信する特定のＩＰ放送を選局し、出力を分離部（ＤＭＵＸ）１６に送る。
【００３９】
分離部（ＤＭＵＸ）１６は、デジタル復調部１５またはＩＰ放送チューナー部２３から入力された、多重化された映像データ、音声データを分離し、映像データをビデオデコード／キャプチャ部１７に送り、音声データをオーディオデコード部２５に送る。さらに、分離部（ＤＭＵＸ）１６は、放送信号に含まれるＥＰＧデータ等のデータを抽出し、ＥＰＧ／ＯＳＤ／予約処理部２４に送る。なお、分離部（ＤＭＵＸ）１６によって抽出された放送波信号は、必要に応じてＣＰＵ６による書き込み制御によりメモリ７に記録される。
【００４０】
ビデオデコード／キャプチャ部１７は、分離部（ＤＭＵＸ）１６によって分離された映像データをデコードしたり、映像データに含まれるビデオ情報を静止画としてキャプチャしたりする。ビデオデコード／キャプチャ部１７によってデコードされた映像信号は、ビデオセレクタ部１８に送られる。ビデオセレクタ部１８には、既に説明したとおり、アナログチューナー部１２からの映像信号が入力されており、また、外部入力部３１からの映像信号も入力されている。ビデオセレクタ部１８は、ＣＰＵ６からの制御信号により、これらの入力映像信号から１つの映像信号を選んで出力し、映像処理部１９に送る。
【００４１】
映像処理部１９では、入力された映像信号に対して、例えば、ノイズリダクションの処理、シャープネスの調整、コントラストの調整等の映像処理を行い、液晶表示装置２２に対して最適な映像信号となるように映像データを変換する。
【００４２】
表示制御部２１は、受信した映像データを液晶表示装置２２に表示させるための駆動回路を含む部分であり、加算回路２０によって加算された、ＥＰＧ／ＯＳＤ／予約処理部２４からの電子番組表（ＥＰＧ；Electronic Program Guide）データ、或いは、ＯＳＤ（オン・スクリーン・ディスプレイ）データを、映像処理部１９からの映像データに加えて液晶表示装置２２に送る。液晶表示装置２２では、送られてきた映像データを画面上に表示する。なお、不揮発性メモリ４１および色取得部４２の機能については、参照する図面を替えて後述する。
【００４３】
ＥＰＧ／ＯＳＤ／予約処理部２４は、スケーリング表示のための処理を行う。
【００４４】
オーディオデコード部２５は、分離部（ＤＭＵＸ）１６によって分離された音声データをデコードするものである。オーディオデコード部２５は、デコードした音声信号をオーディオセレクタ部２６に送る。
【００４５】
オーディオセレクタ部２６では、ＡＶスイッチ部１３からの音声信号、外部入力部３１からの音声信号、およびオーディオデコード部２５からの音声信号を受け、ＣＰＵ６からの制御によってビデオセレクタ部１８で選択された映像信号に対応した音声信号を選択し、音声出力変換部２７を介して音声信号をスピーカ２８に送る。音声出力変換部２７は、受信した音声信号をスピーカ２８での再生に最適な信号に変換してスピーカ２８に供給する。
【００４６】
リモコン受光部３５は、リモートコントローラ３６（以下リモコン３６という）からの光信号を受信して、リモコン３６からの制御信号を受け付けるためのものである。スケーリング表示への移行、スケーリング表示時の各種ボタンの選択と決定等、視聴者からの指示は、このリモコン３６を介して行われる。
【００４７】
ＥＰＧ／ＯＳＤ／予約処理部２４は、定期的に更新保存されたＥＰＧデータに基づき電子番組表を作成し、また、メモリ７に予め保存されているＯＳＤデータを描画する。前記のＯＳＤデータとは、例えば、予めメモリ７に記憶された設定メニュー画面、音量ケージ、現在時刻、選局チャンネル等の各種情報を描画するためのデータである。また、ＥＰＧ／ＯＳＤ／予約処理部２４は、前記の電子番組表を利用して番組の予約処理等を行う。
【００４８】
ＥＰＧ／ＯＳＤ／予約処理部２４は、さらに、ＣＰＵ６とともにスケーリング表示を実行する。
【００４９】
通信制御部３４は、電話回線、ＬＡＮ、インターネット等のネットワーク網を介して通信を確立させるように制御を行う。
【００５０】
（テレビ受像機１０における色制御処理）
次に、テレビ受像機１０における色制御処理について説明する。テレビ受像機１０が備える不揮発性メモリ４１は、テレビ受像機１０の生産ライン上において、当該テレビ受像機１０のキャビネット４またはリモコン３６の色を色情報として記憶する。なお、当該テレビ受像機１０のキャビネット４の色とリモコン３６の色とは同一色である。ここでは、不揮発性メモリ４１は、キャビネット４の色を記憶するものとする。なお、不揮発性メモリ４１は、ＵＳＢメモリ、外部接続のファミリンク機器（ＢＤ／ＤＶＤ／ＨＤＤ）、またはネットワーク等から、キャビネット４の色を表す情報を追加して記憶できる。これにより、キャビネット４またはリモコン３６の色として、新しい色が追加されても対応できる。また、色情報が書き込まれた修正ディスクを挿入することによって、不揮発性メモリ４１に記憶する色を変更するようにしてもよい。
【００５１】
テレビ受像機１０の色取得部４２は、不揮発性メモリ４１が記憶しているキャビネット４の色情報ここではホワイトの情報を取得する。そして、表示制御部２１は、色取得部４２が取得した色すなわちホワイトに応じて、表示部３に表示する色、例えばメニュー設定の色または電子番組表の背景色を制御する。ここでは、キャビネット４の色と、表示部３に表示するメニュー設定または電子番組表の色とを同一色すなわちホワイトとする。
【００５２】
これを図３および図４を参照して説明する。図３は、表示部３に表示された電子番組表を示す図である。表示制御部２１は、この図に示す電子番組表の背景色を、色取得部４２が取得したキャビネット４の色と同一色すなわちホワイトにする。
【００５３】
また、図４（ａ）に示すように、出荷設定実行画面において、キャビネット４と同一色のホワイトにカーソルが自動で合うようにしてもよい。これにより、ユーザは、表示部の表示に適した色を容易に選択できる。また、図４（ｂ）に示すように、キャビネット４と同一色のホワイトを自動で表示するようにしてもよい。なお、図４に示した出荷設定実行画面における色は、ユーザが変更可能である。以上のように、テレビ受像機１０は、表示部３における表示に適した色を自動で設定できる。または、ユーザは表示に適した色を容易に選択できる。なお、表示制御部２１は、キャビネット４の色と、表示部３に表示する色とが補色関係になるように制御してもよい。また、類似色となるようにしてもよい。
【００５４】
また、これにより、一旦出荷されたテレビ受像機１０が、修理のためサービス部門に戻ってきて、再度出荷設定が必要となった場合に、間違った色のキャビネット４またはリモコン３６が設置されることを防ぐことができる。
【００５５】
（カバーの色を判定）
次に、テレビ受像機１０のＯＰＣセンサー３８の機能に基づく、表示部３における色制御について説明する。テレビ受像機１０のＯＰＣセンサー３８は、当該ＯＰＣセンサー３８を覆うカバーまたは導光板の色を、光を検知することによって判定する。なお、ＯＰＣセンサー３８のカバーの色は、通常、キャビネット４の色と同一色である。そして、表示制御部２１は、ＯＰＣセンサー３８が判定した色と、表示部３に表示する色とを同一色にする。これを、図５のフローチャートを参照して説明する。なお、このＯＰＣセンサー３８は、カバーの色を判定するものであり、環境判別センサーであればよい。例えば、ＲＧＢセンサー、またはＣＣＤカメラであってもよい。
【００５６】
図５に示すように、まず、ＯＰＣセンサー３８は、当該ＯＰＣセンサー３８を覆うカバーが付け替えられると、センサーの読み値を検知する（ステップＳ１）。ＯＰＣセンサー３８は、この検知した読み値と一つ前に検知した読み値とに変更が有るか無いかを判定する（ステップＳ２）。なお、初めて読み値を検知する場合には、ＯＰＣセンサー３８は、読み値に応じた色を判定する。
【００５７】
読み値に変更が有る場合には、ＯＰＣセンサー３８は、読み値に基づいてカバーの色を判定する（ステップＳ３）。そして、表示制御部２１は、ＯＰＣセンサー３８が判定した色に基づいて、例えば判定した色と同一色を表示部に表示する（ステップＳ４）。なお、ステップＳ２において読み値に変更が無い場合には、表示制御部２１は、表示部３に表示する色を変更しない。すなわち、一つ前のテレビ受像機１０の表示部３に表示した色と同一色を表示部３に表示する。以上のように、テレビ受像機１０は、ＯＰＣセンサー３８のカバーの色に応じて、表示部３に表示する色を制御できる。このため、不揮発性メモリ４１を必ずしも備えていなくともよい。
【００５８】
次に、テレビ受像機１０の表示部３と、当該テレビ受像機１０に接続された例えばＤＶＤ等の外部機器の表示部とに表示する色を同一色とする表示システムについて、図６〜図８を参照して説明する。
【００５９】
図６（ａ）は、テレビ受像機１０と、当該テレビ受像機１０にＨＤＭＩ接続されたＡＶアンプ５０、ＡＶアンプ５０にＨＤＭＩ接続されたプレーヤー６０およびレコーダー７０を備えた表示システム８０ａを示している。また、図６（ａ）に示した接続は、図６（ｂ）に示す接続であってもよい。すなわち、テレビ受像機１０に、ＡＶアンプ５０およびプレーヤー６０がＨＤＭＩ接続されており、ＡＶアンプ５０にさらにレコーダー７０がＨＤＭＩ接続されている表示システム８０ｂでもよい。なお、この図に示した例では、ＨＤＭＩケーブルにおいて接続したが、ｉ−ＬＩＮＫ、ＰＬＣ等のケーブル、またはワイヤレス通信による接続であってもよい。また、図６（ｃ）は、図６（ａ）に対応する表示システム８０ａの外観図である。図６（ｄ）は、図６（ｂ）に対応する表示システム８０ｂの外観図である。図６（ｃ）および図６（ｄ）に示すように、表示システム８０にはさらに他の機器が接続されていてもよい。
【００６０】
次に、図７を参照して、図６（ｂ）に示した表示システム８０ｂにおける外部機器の表示部の色を制御する処理について説明する。この図に示すように、テレビ受像機１０ａは、さらに、ＣＥＣ処理部４３、ＨＤＭＩスイッチ４４およびＨＤＭＩレシーバ４５を備えている。ＡＶアンプ５０は、ＣＥＣ処理部５１、ＨＤＭＩレシーバ５２およびＨＤＭＩトランスミッタ５３を備えている。プレーヤー６０は、ＣＥＣ処理部６１およびＨＤＭＩトランスミッタ６２を備えている。レコーダー７０は、ＣＥＣ処理部７１およびＨＤＭＩトランスミッタ７２を備えている。
【００６１】
この図に示すように、表示システム８０ｂは、ＨＤＭＩスイッチ４４、ＨＤＭＩレシーバ４５、ＨＤＭＩレシーバ５２、ＨＤＭＩトランスミッタ５３、ＨＤＭＩトランスミッタ６２およびＨＤＭＩトランスミッタ７２において、ＨＤＭＩ通信をしている。これらの各部材は、各機器内において、映像処理部または音声処理部に接続されている。また、各機器におけるＣＥＣ処理部４３、ＣＥＣ処理部５１、ＣＥＣ処理部６１、およびＣＥＣ処理部７１は、ＣＥＣコマンドにおいて色を表す情報を互いに通信する。これにより、テレビ受像機１０のＣＥＣ処理部４３は、色取得部４２が取得した色の情報を、ＡＶアンプ５０のＣＥＣ処理部５１およびプレーヤー６０のＣＥＣ処理部６１と通信することができる。そして、レコーダー７０のＣＥＣ処理部７１は、ＣＥＣ処理部５１とこの色の情報を通信できる。
【００６２】
これにより例えば、図８に示すように、プレーヤー６０は、表示部６３の色をテレビ受像機１０ａの表示部３の色と同一色にすることができる。したがって、ユーザは、テレビ受像機１０ａと接続しており、予約録画等において連動して動作している機器を一目で認識できる。
【００６３】
（プログラムおよび記録媒体）
最後に、表示装置１０に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００６４】
すなわち表示装置１０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【００６５】
この記録媒体は、上述した機能を実現するソフトウェアである表示装置１０のプログラムのプログラムコード（実行形式プログラム、中間コードプログラム、ソースプログラム）をコンピュータで読み取り可能に記録していればよい。表示装置１０に、この記録媒体を供給する。これにより、コンピュータとしての表示装置１０（またはＣＰＵやＭＰＵ）が、供給された記録媒体に記録されているプログラムコードを読み出し、実行すればよい。
【００６６】
プログラムコードを表示装置１０に供給する記録媒体は、特定の構造または種類のものに限定されない。すなわちこの記録媒体は、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００６７】
また、表示装置１０を通信ネットワークと接続可能に構成しても、本発明の目的を達成できる。この場合、上記のプログラムコードを、通信ネットワークを介して表示装置１０に供給する。この通信ネットワークは表示装置１０にプログラムコードを供給できるものであればよく、特定の種類または形態に限定されない。例えばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００６８】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００６９】
（付記事項）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００７０】
本発明は、多機能化したテレビ受像機等の表示装置として最適に使用できる等、産業上の利用可能性は高い。
【符号の説明】
【００７１】
１０    テレビ受像機（表示装置  テレビ受像機）
２      本体部
３      表示部
４      キャビネット
２１    表示制御部（表示制御手段）
２２    液晶表示装置
３６    リモートコントローラ（リモコン）
３８    ＯＰＣセンサー（色判定手段）
４１    不揮発性メモリ（色情報記憶手段）
４２    色取得部（色取得手段）
５０    ＡＶアンプ（外部機器）
６０    プレーヤー（外部機器）
６３    プレーヤーの表示部（外部機器の表示部）
７０    レコーダー（外部機器）
８０    表示システム
【図１】
2011139390.tif 000003
【図２】
2011139390.tif 000004
【図３】
2011139390.tif 000005
【図４】
2011139390.tif 000006
【図５】
2011139390.tif 000007
【図６】
2011139390.tif 000008
【図７】
2011139390.tif 000009
【図８】
2011139390.tif 000010